(57)【要約】【課題】  運搬、組立て、清掃の作業性が良好な軽量の樹脂製の防塵ネットを使用しても、部分的な補修が容易であり、熱交換器の大きさに合わせて防塵ネットの大きさを設定可能で、冷却風の圧力に耐え得る適度な剛性のある樹脂製の防塵ネットを作業環境に合わせて提供できるようにすることを課題とする。【解決手段】  小型で定型の樹脂製防塵ネットを単位要素として同一平面状に複数個組み合わせた大型の組合せネットが、建設機械用熱交換器の前面側に複数枚を前後方向に重ねて配置されるように構成する。【選択図】        図１
2008241129.tif 000002
【特許請求の範囲】
【請求項１】
小型で定型の樹脂製防塵ネットを単位要素として同一平面状に複数個組み合わせた大型の組合せネットが、建設機械用熱交換器の前面側に複数枚を前後方向に重ねて配置されたことを特徴とする建設機械用熱交換器の防塵ネット。
【請求項２】
前記組合せネットは、前記樹脂製防塵ネットをボルトやねじ等の締結部品により着脱自在に締結して組み合わせてあることを特徴とする請求項１記載の建設機械用熱交換器の防塵ネット。
【請求項３】
前記組合せネットを構成する各樹脂製防塵ネットが、配置場所によりメッシュが異なることを特徴とする請求項１記載の建設機械用熱交換器の防塵ネット。
【請求項４】
前記各組合せネットは、前後に位置する各樹脂製防塵ネットのメッシュが互いに異なることを特徴とする請求項１または請求項２に記載の建設機械用熱交換器の防塵ネット。
【請求項５】
前記組合せネットは、前後各組合せネットの中で同じ位置になる樹脂製防塵ネットの組が、異なるメッシュを有するネットの組と、同じメッシュを有するネットの組とが存在していることを特徴とする請求項１または請求項２に記載の建設機械用熱交換器の防塵ネット。
【発明の詳細な説明】
【技術分野】
【０００１】
本発明は、建設機械用熱交換器の防塵ネット、詳しくは、複数の熱交換器を直列または並列に配置した建設機械用熱交換器の粉塵防止用に用いられる防塵ネットに関するものである。
【背景技術】
【０００２】
建築、土木作業等で使用される建設機械は、多くの粉塵の中での作業であり、多くの粉塵が混じった冷却風により、直列または並列に配置されたラジエータ、オイルクーラ、インタークーラ等の熱交換器のフィンを目詰まりしづらくするために、熱交換器の冷却風吸い込み側に防塵ネットを設置している（特許文献１，２，３）。
防塵ネットは、図５の直列配置の図に示すように、オイルクーラ、ラジエータ、インタークーラ等の熱交換器１を直列に並べてフレーム２で囲み、そのフレーム２の大きさの鉄枠に鉄製の網３を取り付け、また、図６の並列配置の図に示すように、オイルクーラ、ラジエータ、インタークーラ等の熱交換器１を並列に並べてフレーム２で囲み、そのフレーム２の大きさの鉄枠に鉄製の網３を取り付け、取付部およびファンカバー４の中に設置されたファン（図示せず）による冷却風の圧力に耐え得る剛性を持たせた構造となっており、清掃時に取り外しができるように、フレーム２にボルト、クリップ、蝶ねじ等の着脱可能な締結部品５により固定され、粉塵の混じった冷却風による熱交換器１の目詰まりを防止していた。
また、防塵ネットのネットをスポンジ状フィルタにより形成して、冷却風を積極的に清浄化するようにしたものもあった（特許文献４）。
【０００３】
【特許文献１】特開２００３−３２２４８８公報
【特許文献２】特開２００３−３２２４８９公報
【特許文献３】特開２００１−３４２６４５公報
【特許文献４】特開２００１−３３６４２０公報
【０００４】
〔従来技術の問題点〕
しかしながら、通常の建設機械用熱交換器の防塵ネットは、大型の鉄製で一枚ものであるため重いものであり、運搬や熱交換器の組立て作業に加え、粉塵を取り除くため頻繁に行なわれる清掃作業も、作業効率を低下させていた。
また、何らかの原因で破壊した場合、補修が困難で、防塵ネットを丸ごと交換することになっていた。
さらにまた、建設機械用熱交換器の大型で一枚ものの防塵ネットを成形するための型作成費用や、熱交換器の大きさごとに防塵ネットの型を用意しなければならなったため、コストが高くなっていた。
これらの点を考慮して、大型で一枚ものの防塵ネットを樹脂製にした場合には、メッシュ部分は面積が大きいため中心部が冷却風の圧力によりたわみが発生するようになるから、鉄製のメッシュに比べ剛性が不足しており、採用が難しかった。
【０００５】
また、鉄製の防塵ネットは冷却風の通気抵抗が少ないため、メッシュのピッチが約１ｍｍ程度に設定されていた。一方、樹脂製の防塵ネットでは、製造上の都合により、メッシュの柱が太く、同じ面積で鉄製の防塵ネットと同等の通気抵抗を得るにはピッチを鉄製より大きく設定する必要があり、本来の役割である粉塵吸込み防止の点で不利となっていた。
このため、樹脂製の防塵ネットでは、粉塵の少ない市街地での作業では問題ないが、廃棄物処理等の粉塵の多く発生する場所での作業時には、粉塵が容易にメッシュを通り抜けることによる熱交換器の目詰まりが懸念されていた。
【発明の開示】
【発明が解決しようとする課題】
【０００６】
本発明は、従来の技術における前記問題点に鑑みて成されたものであり、これを解決するため具体的に設定した技術的な課題は、運搬、組立て、清掃の作業性が良好な軽量の樹脂製の防塵ネットを使用しても、部分的な補修が容易であり、熱交換器の大きさに合わせて防塵ネットの大きさを設定可能で、冷却風の圧力に耐え得る適度な剛性のある樹脂製の防塵ネットを作業環境に合わせて提供できるようにすることにある。
【課題を解決するための手段】
【０００７】
本発明における前記課題が効果的に解決される熱交換器の冷却水入口構造を特定するために、必要と認める事項の全てが網羅され、具体的に構成された、課題解決手段を以下に示す。
建設機械用熱交換器の防塵ネットに係る第１の課題解決手段は、小型で定型の樹脂製防塵ネットを単位要素として同一平面状に複数個組み合わせた大型の組合せネットが、建設機械用熱交換器の前面側に複数枚を前後方向に重ねて配置されたことを特徴とするものである。
【０００８】
建設機械用熱交換器の防塵ネットに係る第２の課題解決手段は、前記組合せネットは、前記樹脂製防塵ネットをボルトやねじ等の締結部品により着脱自在に締結して組み合わせてあることを特徴とする。
建設機械用熱交換器の防塵ネットに係る第３の課題解決手段は、前記組合せネットを構成する各樹脂製防塵ネットが、配置場所によりメッシュが異なることを特徴とする。
【０００９】
建設機械用熱交換器の防塵ネットに係る第４の課題解決手段は、前記各組合せネットは、前後に位置する各樹脂製防塵ネットのメッシュが互いに異なることを特徴とする。
建設機械用熱交換器の防塵ネットに係る第５の課題解決手段は、前記組合せネットは、前後各組合せネットの中で同じ位置になる樹脂製防塵ネットの組が、異なるメッシュを有するネットの組と、同じメッシュを有するネットの組とが存在していることを特徴とする。
【発明の効果】
【００１０】
建設機械用熱交換器の防塵ネットに係る第１の課題解決手段では、小型で定型な樹脂製防塵ネットを単位要素として同一平面状に複数個組み合わせた大型の組合せネットを建設機械用熱交換器の前面側に複数枚前後方向に重ねて配置したことにより、使用場所や作業内容に合わせて、適切な網目の細かさと粗さとを有するネットを用いることができ、建設機械用熱交換器の防塵性能を効果的に向上することができる。
【００１１】
建設機械用熱交換器の防塵ネットに係る第２の課題解決手段では、組合せネットはボルトやねじ等の締結部品により着脱自在に組み合わせたことにより、組合せネットを形成する各樹脂製防塵ネットを個別に選択または交換することができて、網目の選択や異なる網目の組合せ等の設計や補修における選択幅を広げることができるとともに樹脂製防塵ネットの補修、交換、使用環境に合わせたネットの選択が容易にできる。
建設機械用熱交換器の防塵ネットに係る第３の課題解決手段では、樹脂製防塵ネットの配置場所により網目の粗密を異なるものにすることができ、使用ネットの組合せを容易にして、防塵効果を向上することができる。
【００１２】
建設機械用熱交換器の防塵ネットに係る第４の課題解決手段では、重ねた組合せネットが異なる網目の樹脂製防塵ネットを配置することにより、粉塵捕集量と冷却風通過量との増加を両方ともに効果的に実現することができる。
建設機械用熱交換器の防塵ネットに係る第５の課題解決手段では、重ねられた組合せネットの、前後に位置する樹脂製防塵ネットが、異なるメッシュのネットを使用しているものと、同じメッシュのネットを使用しているものとが、存在できることにより、熱交換器の前面側の風量分布に合わせた樹脂製防塵ネットの組合せができ、熱交換器の目詰まりの均一化、熱交換効率の向上等を実現することができるとともに使用環境に適合するように組合せネットを調整することができる。
【発明を実施するための最良の形態】
【００１３】
以下、本発明による最良の実施形態を具体的に説明する。
ただし、この実施形態は、発明の趣旨をより良く理解させるため具体的に説明するものであり、特に指定のない限り、発明内容を限定するものではない。
また、従来の技術で説明したものと同じものは同じ符号を付して具体的な説明を省略する。
【００１４】
〔構成〕
この実施形態における建設機械用熱交換器の防塵ネットを熱交換器の前面に重ねて設ける場合は、図１に示すように、熱交換器１，１，１が並列に配置された場合では、それらの熱交換器１，１，１の外周を取り巻くフレーム２の前面側に、組合せネット３０を２枚分重ねて配置するための凹形に形成されたネット取付枠３１を取り付ける。
このネット取付枠３１の開放された上端部から組合せネット３０を差し込むことができるように、ネット取付枠３１の垂直枠３１ａ，３１ａの内側に全長に亘る溝３１ｂ，３１ｂを組合せネット３０の２枚分刻設して、各組合せネット３０，３０が水平枠３１ｂに当接するまで押し下げることができるように形成する。
そして、ネット取付枠３１に組合せネット３０を１枚ずつ上方から溝３１ｂに差し込み、２枚の組合せネット３０，３０を重ねた状態で、並列に設けられた熱交換器１，１，１の前面に防塵用として配設する。
【００１５】
熱交換器１，１，１の前面に前後へ重ねて配設する組合せネット３０は、小型で定型な樹脂製防塵ネット１０を単位要素として複数同一平面状に組み合わせて固着した大型の防塵ネットとする。組合せネット３０を形成するには、ボルトやねじ等の着脱自在な締結部品５を使用して、小型で定型な樹脂製防塵ネット１０を複数枚隣合せのネットを固着することにより行なう。
この組合せネット３０は、各樹脂製防塵ネット１０，…，１０がそれぞれ同一の網目（メッシュ）を有するネット部１１を使用するものばかりでなく、各樹脂製防塵ネット１０，…，１０が任意に異なる網目のネット部１１，…，１１を使用したり、熱交換器１，１，１の前面側に２枚重ねて配置される組合せネット３０，３０の前後に位置する各樹脂製防塵ネット１０，１０が互いに異なる網目のネットを使用するようにしたり、また、熱交換器１，１，１の前面側に複数枚重ねて配置された組合せネット３０，３０の、前後に位置する樹脂製防塵ネット１０，１０が、異なる網目のネット部１１，１１を使用しているものと、同じ網目のネット部１１，１１を使用しているものとが、混在しても良い。
【００１６】
図２に示すように、組合せネット３０は、ＰＰ（ポリプロピレン）等の樹脂製の縦横３００〜３５０ｍｍの正方形に形成された小型で定型な樹脂製防塵ネット１０を、熱交換器の大きさに応じて必要な枚数を並べて広い面積の組合せネット３０になるように固着する。
【００１７】
図３に示すように、単一の樹脂製防塵ネット１０は、ネット部１１の外周部に、長さ３００〜３５０ｍｍ、厚み約２ｍｍで、隣合う２辺を幅約１５ｍｍに形成された太枠１２ａと、残り２辺を太枠１２ａの半分の幅に形成された細枠１２ｂとの、２種の枠の組合せにより形成した枠体１２を設ける。この枠体１２は、ネット部１１の表と裏とをそれぞれ枠体１２を１枚ずつ配設し、互いに太枠１２ａと細枠１２ｂとを組み合わせるように重ね合わせて、ネット部１１の外周部を挟持してネット部１１とともに接着する。
これにより、太枠１２ａと細枠１２ｂとが組み合わされた部位（以下、重合せ部位という）は、太枠１２ａの半分の幅だけ表側または裏側のいずれか一方の枠体１２が外方に突出するようになる。このため、重合せ部位の突出部１２ｃは接合された枠体１２，１２のほぼ半分の厚みを有する部位に形成される。
【００１８】
組合せネット３０を形成するためには、樹脂製防塵ネット１０の枠体１２の重合せ部位の突出部１２ｃと隣合う樹脂製防塵ネット１０の枠体１２の重合せ部位の突出部１２ｃとを重ねて接着または着脱自在な締結部品により固着して、所定の大きさに広げていく。このようにして形成された組合せネット３０では、各枠体１２，１２の重合せ部位の突出部１２ｃ，１２ｃが固着された状態でほぼ枠体１２の重合せ部位の突出部１２ｃ，１２ｃ以外の箇所の厚みに等しくなり、全体としてほぼ一様で大きな樹脂製の防塵ネットが形成され、熱交換器のサイズに合う大型の防塵ネットが形成される。
【００１９】
組合せネット３０を形成するための固着方法には、ボルト、ねじ、リベットのいずれかの固着方法が適用される。例えば、図４に示すように、ボルト１３・ナット１４による締結の場合では、各枠体１２，１２の重合せ部位の突出部１２ｃ，１２ｃを互いに重ね合わせ、穿設されたボルト孔１２ｄ，１２ｄに座金１３ａを同心的に設けた上で両方にボルト１３のねじ部を挿通し、枠体１２から突き出したボルト１３のねじ部の先端に座金１４ａを嵌めるとともにナット１４を螺合して締め込むことにより、各枠体１２，１２が一体に固着される。
また組合せネット３０は、交換や入替えの必要がない場合には、溶着や接着により固着したものを用いても良い。
【００２０】
〔作用効果〕
このような実施形態における建設機械用熱交換器の防塵ネットでは、小型で定型な樹脂製防塵ネット１０を組み合わせた大型の組合せネット３０を建設機械用の熱交換器１，１，１の前面側に複数枚重ねて配置したことにより、使用場所や作業内容に合わせて、適切な網目のネット部１１，…，１１を用いることができ、各建設機械用の熱交換器１，１，１の防塵性能を効果的に向上することができる。
組合せネット３０が樹脂製防塵ネット１０を組み合わせて形成する場合、ボルトやねじ等の着脱自在な締結部品を使用することにより、組合せネット３０を形成する各樹脂製防塵ネット１０を個別に選択または交換することができて、網目の選択や異なる網目の組合せ等の設計や補修における選択幅を広げることができるとともに樹脂製防塵ネット１０の補修、交換、使用環境に合わせたネットの選択が容易にできる。
樹脂製防塵ネット１０の網目を任意のメッシュにすることができ、使用ネットの組合せを容易にして、防塵効果を向上することができる。
【００２１】
配置する樹脂製防塵ネット１０を建設機械用の熱交換器１，１，１の前面側に重ねた組合せネット３０により異なる網目の樹脂製防塵ネットを配置することにより、粉塵捕集量と冷却風通過量との増加を両方ともに効果的に実現することができる。
建設機械用の熱交換器１，１，１の前面側に重ねられた組合せネット３０の、前後に位置する樹脂製防塵ネット１０，１０が、異なる網目のネットを使用しているものと、同じ網目のネットを使用しているものとを、混在するように配置できることにより、各熱交換器１，１，１の前面側の風量分布に合わせた樹脂製防塵ネット１０の組合せができ、熱交換器１の目詰まりの均一化、熱交換効率の向上等を実現することができるとともに使用環境に適合するように組合せネット３０を調整することができる。
【図面の簡単な説明】
【００２２】
【図１】本発明の実施態様に係る建設機械用熱交換器の防塵ネットを重ねて熱交換器の前面に設ける場合の組立説明図である。
【図２】本発明の実施態様に係る建設機械用熱交換器の防塵ネットにおける組合せネットを示す正面図である。
【図３】同上建設機械用熱交換器の防塵ネットにおける小型ネットを示す説明図で、（Ａ）は正面図、（Ｂ）は側面図である。
【図４】同上建設機械用熱交換器の防塵ネットにおける枠体の接続状況を示す部分拡大説明図である。
【図５】従来の建設機械用熱交換器における直列配置された熱交換器の防塵ネットを示す斜視図である。
【図６】従来の建設機械用熱交換器における並列配置された熱交換器の防塵ネットを示す斜視図である。
【符号の説明】
【００２３】
１  熱交換器
２  フレーム
３  網
４  ファンカバー
５  締結部品
１０  （小型で定型な）樹脂製防塵ネット
１１  ネット部
１２  枠体
１２ａ  太枠
１２ｂ  細枠
１２ｃ  重合せ部位の突出部
１２ｄ  ボルト孔
１３  ボルト
１３ａ，１４ａ  座金
１４  ナット
３０  組合せネット
【図１】
2008241129.tif 000003
【図２】
2008241129.tif 000004
【図３】
2008241129.tif 000005
【図４】
2008241129.tif 000006
【図５】
2008241129.tif 000007
【図６】
2008241129.tif 000008